(57)【要約】【課題】外周部材の、支柱の取付面より下方に位置する部位も強固に取り付けることが可能な外周部材の取付構造等を提供する。【解決手段】建物の躯体上に設けられた支柱と、前記支柱の取付面より低い位置まで設けられた外周部材と、前記外周部材を前記躯体より前記建物の外方側に持ち出して前記支柱に固定される持ち出し部材と、を備え、前記外周部材は、前記持ち出し部材を介して前記支柱に取り付けられたときに当該外周部材における前記取付面より下方部分と前記取付面より上方部分とにわたる縦材と、前記縦材の、前記建物の外方側に固定される意匠材と、前記縦材に設けられた第１係合部と、を備え、前記持ち出し部材は、前記第１係合部と係合されて前記縦材が保持される第２係合部を有する。【選択図】図１
2014105433.tif 000002
【特許請求の範囲】
【請求項１】
建物の躯体上に設けられた支柱と、
前記支柱の取付面より低い位置まで設けられた外周部材と、
前記外周部材を前記躯体より前記建物の外方側に持ち出して前記支柱に固定される持ち出し部材と、
を備え、
前記外周部材は、前記持ち出し部材を介して前記支柱に取り付けられたときに当該外周部材における前記取付面より下方部分と前記取付面より上方部分とにわたる縦材と、前記縦材の、前記建物の外方側に固定される意匠材と、前記縦材に設けられた第１係合部と、を備え、
前記持ち出し部材は、前記第１係合部と係合されて前記縦材が保持される第２係合部を有することを特徴とする外周部材の取付構造。
【請求項２】
請求項１に記載の外周部材の取付構造であって、
前記縦材は、前記第１係合部が前記第２係合部とが係合されるときに、少なくとも前記取付面より低い部分となる前記意匠材が固定されていることを特徴とする外周部材の取付構造。
【請求項３】
請求項１または請求項２に記載の外周部材の取付構造であって、
前記支柱は、外周部材の長手方向に互いに間隔を隔てて複数設けられており、
前記外周部材は、複数の前記支柱に掛け渡されるとともに複数の前記外周部材が前記長手方向に並べて取り付けられ、
互いに隣り合う前記外周部材の端部同士は、前記長手方向と交差する方向において前記支柱と重なる位置にて対向されることを特徴とする外周部材の取付構造。
【請求項４】
請求項３に記載の外周部材の取付構造であって、
前記互いに隣り合う外周部材の前記端部にはそれぞれ前記縦材が設けられており、
前記互いに隣り合う外周部材の前記縦材は、単一の前記持ち出し部材に係合されることを特徴とする外周部材の取付構造。
【請求項５】
請求項４に記載の外周部材の取付構造であって、
前記単一の前記持ち出し部材に取り付けられる前記隣り合う外周部材の前記縦材は、一方の前記縦材が他方の前記縦材側に延出されて当該他方の縦材を覆うことを特徴とする外周部材の取付構造。
【請求項６】
建物の躯体上に設けられた支柱に、前記支柱の取付面より低い位置まで設けられる外周部材を、前記建物より外方側に持ち出して前記支柱に支持する持ち出し部材を介して取り付ける外周部材の取付方法であって、
前記外周部材は、前記持ち出し部材を介して前記支柱に取り付けられたときに当該外周部材における前記取付面より低い部分と前記取付面より高い部分とにわたるように設けられた縦材に、当該縦材に設けられた第１係合部を、前記支柱に取り付けられた前記持ち出し部材に設けられた第２係合部とを係合させることにより前記外周部材を保持する保持工程と、
保持された前記外周部材を前記持ち出し部材に前記建物側から固定する固定工程と、
を有することを特徴とする外周部材の取付方法。
【発明の詳細な説明】
【技術分野】
【０００１】
本発明は、建物の躯体上に設けられた支柱に当該支柱の取付面より低い位置まで覆う外周部材が取り付けられた外周部材の取付構造及び外周部材の取付方法に関する。
【背景技術】
【０００２】
建物の躯体上に設けられた支柱に当該支柱の取付面より低い位置まで覆う外周部材が取り付けられた外周部材の取付構造及び外周部材の取付方法としては、例えば、コンクリートスラブの鼻先の立ち上がり部に立設する支柱に、支柱よりも外方に突出した支持片を備えたブラケットを固定し、当該ブラケットに、コンクリートスラブの鼻先より外側に持ち出し、且つ、コンクリートスラブの鼻先を覆う状態にパネルを取り付けた持ち出し手摺りが知られている（例えば特許文献１参照）。この持ち出し手摺りは、パネルから内方へ突出した取付け片が各支柱に対して上下２箇所に設けられており、コンクリートスラブより上方にてブラケットと取付け片とをボルト締めしてパネルが支柱に取り付けられている。
【先行技術文献】
【特許文献】
【０００３】
【特許文献１】特許第４６８１４２８号公報
【発明の概要】
【発明が解決しようとする課題】
【０００４】
上記のような持ち出し手摺りは、パネルがコンクリートスラブの鼻先を覆う状態、すなわち、コンクリートスラブの上面より下方にパネルが位置している状態であるにも拘わらず、コンクリートスラブより上方にてブラケットと取付け片とがボルト締めされて固定されている。このため、パネルのコンクリートスラブの上面より下に位置する部位は、直接固定されていないので、パネルを強固に固定することができないおそれがあるという課題がある。
【０００５】
本発明は、かかる課題に鑑みてなされたものであり、その目的とするところは、外周部材の、支柱の取付面より下方に位置する部位も強固に取り付けることが可能な外周部材の取付構造及び外周部材の取付方法を提供することにある。
【課題を解決するための手段】
【０００６】
かかる目的を達成するために本発明の外周部材の取付構造は、建物の躯体上に設けられた支柱と、前記支柱の取付面より低い位置まで設けられた外周部材と、前記外周部材を前記躯体より前記建物の外方側に持ち出して前記支柱に固定される持ち出し部材と、を備え、前記外周部材は、前記持ち出し部材を介して前記支柱に取り付けられたときに当該外周部材における前記取付面より下方部分と前記取付面より上方部分とにわたる縦材と、前記縦材の、前記建物の外方側に固定される意匠材と、前記縦材に設けられた第１係合部と、を備え、前記持ち出し部材は、前記第１係合部と係合されて前記縦材が保持される第２係合部を有することを特徴とする外周部材の取付構造である。  
このような外周部材の取付構造によれば、外周部材は、支柱に取り付けられたときに意匠材における支柱の取付面より低い部分と支柱の取付面より高い部分とにわたる縦材に固定されているので、外周部材全体も高い剛性を備えることが可能である。
【０００７】
また、外周部材は、支柱の取付面より低い部分を有しているため、外周部材は持ち出し部材により躯体より持ち出して取り付けられる。このため、外周部材の、支柱の取付面より下側に位置する部位は、直接持ち出し部材に固定することができないが、意匠材が縦材に固定されているので、支柱の取付面より下側に位置する部位を直接固定しなくとも外周部材全体、すなわち笠木より下側に位置する部位をも支柱に強固に取り付けることが可能である。
【０００８】
また、外周部材を取り付ける際には、縦材の第１係合部と、持ち出し部材の第２係合部とを係合させることにより縦材が保持されるので、外周部材を持ち出し部材に保持させて外周部材から手を離した状態で外周部材を固定することが可能である。このため、より施工性に優れた外周部材の取り付け構造を提供することが可能である。
【０００９】
かかる外周部材の取付構造であって、前記縦材は、前記第１係合部に前記第２係合部が係合されるときに、少なくとも前記取付面より低い部分となる前記意匠材が固定されていることが望ましい。  
このような外周部材の取付構造によれば、縦材には少なくとも支柱の取付面より低い部分となる意匠材が固定されているので、支柱の取付面より下側に配置される意匠材を強固に固定することが可能である。このとき、意匠材の全てが縦材に取り付けられていないので、縦材及び縦材に設けられた意匠材が取り回し易い。このため、より施工性に優れた外周部材の取り付け構造を提供することが可能である。
【００１０】
かかる外周部材の取付構造であって、前記支柱は、外周部材の長手方向に互いに間隔を隔てて複数設けられており、前記外周部材は、複数の前記支柱に掛け渡されるとともに複数の前記外周部材が前記長手方向に並べて取り付けられ、互いに隣り合う前記外周部材の端部同士は、前記長手方向と交差する方向において前記支柱と重なる位置にて対向されることが望ましい。  
このような外周部材の取付構造によれば、外周部材の長手方向に並べて配置され互いに隣り合う外周部材の端部同士が対向される部位は、上下方向に沿う線のように認識されやすい。このため、上下方向に線として認識されやすい外周部材の端部を、外周部材の長手方向と交差する方向において支柱と重なる位置にて対向させることにより、端部同士が対向する部位を目立たなくすることが可能である。このため、外周部材の意匠性を高めることが可能である。
【００１１】
かかる外周部材の取付構造であって、前記互いに隣り合う外周部材の前記端部にはそれぞれ前記縦材が設けられており、前記互いに隣り合う外周部材の前記縦材は、単一の前記持ち出し部材に係合されることが望ましい。  
このような外周部材の取付構造によれば、互いに隣り合う外周部材の端部にそれぞれ設けられた縦材が、単一の持ち出し部材に係合されるので、支柱と各縦材とが所定方向と交差する方向に重なり、互いに隣り合う外周部材の繋ぎ目が目立たないように取り付けることが可能である。
【００１２】
かかる外周部材の取付構造であって、前記単一の前記持ち出し部材に取り付けられる前記隣り合う外周部材の前記縦材は、一方の前記縦材が他方の前記縦材側に延出されて当該他方の縦材を覆うことが望ましい。  
このような外周部材の取付構造によれば、単一の持ち出し部材に取り付けられる隣り合う２つの外周部材の２本の縦材は、一方の縦材から延出された部位により他方の縦材が覆われるので、あたかも１本の部材であるように見せることが可能である。このため、より意匠性に優れた外周部材の取り付け構造を提供することが可能である。
【００１３】
また、建物の躯体上に設けられた支柱に、前記支柱の取付面より低い位置まで設けられる外周部材を、前記建物より外方側に持ち出して前記支柱に支持する持ち出し部材を介して取り付ける外周部材の取付方法であって、前記外周部材は、前記持ち出し部材を介して前記支柱に取り付けられたときに当該外周部材における前記取付面より低い部分と前記取付面より高い部分とにわたるように設けられた縦材に、当該縦材に設けられた第１係合部を、前記支柱に取り付けられた前記持ち出し部材に設けられた第２係合部とを係合させることにより前記外周部材を保持する保持工程と、保持された前記外周部材を前記持ち出し部材に前記建物側から固定する固定工程と、を有することを特徴とする外周部材の取付方法である。
【００１４】
このような外周部材の取付方法によれば、支柱に取り付けられたときに当該外周部材における支柱の取付面より低い部分と支柱の取付面より高い部分とわたる縦材に意匠材が設けられて全体として高い剛性を備えた外周部材の第１係合部を、躯体より外側に持ち出した状態にて持ち出し部材の第２係合部に係合させることにより外周部材が支柱に保持される。このため、外周部材を持ち出し部材に保持させて外周部材から手を離した状態で外周部材を固定することが可能なので取り付けが容易である。また、全体として高い剛性を有する外周部材が有する縦材を支柱に設けられた持ち出し部材に固定するので、支柱の取付面より下側に位置する部位をも支柱に強固に取り付けることが可能である。
【発明の効果】
【００１５】
本発明によれば、外周部材の、支柱の取付面より下方に位置する部位も強固に取り付けることが可能な外周部材の取付構造及び外周部材の取付方法を提供することが可能である。
【図面の簡単な説明】
【００１６】
【図１】本実施形態に係る外周部材の取付構造を示す縦断面図である。
【図２】本実施形態に係る外周部材の取付構造を示す横断面図である。
【図３】連結部材と持ち出し支柱とを説明するための斜視図である。
【図４】外周部材の取付構造を説明するための横断面図である。
【図５】持ち出し部材を示す斜視図である。
【図６】本実施形態における外周部材の取付方法を示す斜視図である。
【図７】保持工程を示す縦断面図である。
【図８】本実施形態における外周部材の取付方法を示す横断面図である。
【図９】変形例における外周部材の構成を示す斜視図である。
【図１０】変形例における外周部材の取付方法を示す横断面図である。
【図１１】他の変形例を示す横断面図である。
【発明を実施するための形態】
【００１７】
以下、本発明の一実施形態に係る外周部材の取付構造及び外周部材の取付方法について図面を参照して説明する。
【００１８】
本実施形態においては、本発明にかかる外周部材の取付構造が用いられているバルコニーを例に挙げ、バルコニーの外周を覆う外周部材の取付構造及び外周部材の取付方法について説明する。
【００１９】
本実施形態のバルコニー１は、図１、図２に示すように、建物のバルコニー１として区画された領域の縁に位置し、バルコニー１を構成するスラブ端の立ち上がりとなる躯体１ａの上部をなす笠木２上に設けられた複数の支柱３と、支柱３の上端部を繋ぐハンドレール４と、支柱３から、建物の外方側に持ち出して設けられ外周を覆う外周部材１０と、外周部材１０を躯体１ａより持ち出した位置にて支柱３に支持する持ち出し部材５と、を有している。
【００２０】
以下の説明においては、躯体１ａに沿って設けられる外周部材１０の長手方向を長手方向、バルコニー１を備えた建物の内外方向、すなわち、笠木２と直交する方向を持ち出し方向、上下となる方向を上下方向として示す。また、バルコニー１が備える各部材は、単体として説明する場合であっても、バルコニー１として備えられた状態で、長手方向、持ち出し方向、上下方向となる方向にて方向を特定して説明する。
【００２１】
外周部材１０は、断面形状が矩形状をなす中空部材でなり表面に化粧が施された複数の化粧部材１１と、複数の化粧部材１１を連結して一体とする連結部材１２と、でなる意匠材１３、及び、意匠材１３の連結部材１２に固定されて持ち出し部材５に固定される縦材としての持ち出し支柱１４、を有している。
【００２２】
化粧部材１１は、外周部材１０が持ち出し部材５を介して支柱３に取り付けられた状態で水平方向に沿うとともに、複数の化粧部材１１が所定の間隔を隔てて上下方向に並べられて、所謂横格子をなしている。上下方向に沿って並べられる各化粧部材１１は、バルコニー１の領域の内方側から上下方向に沿って配置される連結部材１２に固定されて意匠材１３をなしている。意匠材１３は、バルコニー１の幅に合わせて、複数設けられており、隣り合う意匠材１３は、化粧部材１１の端部１１ａ同士が僅かに間隔を隔てて対向されるとともに長手方向に並べて設けられている。各意匠材１３は、少なくとも２つの連結部材１２に化粧部材１１が固定されて構成されている。このとき、連結部材１２の長手方向の間隔は、支柱３の間隔と一致している。
【００２３】
本実施形態の外周部材１０は、意匠材１３が２つに分割されており、支柱３に持ち出し部材５を介して取り付けられたときに、支柱３の取付面２ａより上側に位置する上意匠材１３ａと、支柱３の取付面２ａより下側に位置する下意匠材１３ｂとに分割されている。上意匠材１３ａと下意匠材１３ｂとは、支柱３の取付面２ａより上に位置する化粧部材１１の数、及び、支柱３の取付面２ａより下に位置する化粧部材１１の数により、各々の意匠材１３が有する化粧部材１１の数は異なるが他の構成は同一である。
【００２４】
上意匠材１３ａ及び下意匠材１３ｂが各々有し、最も下に位置する化粧部材１１の下端１１ｂから、最も上に位置する化粧部材１１の上端１１ｃまで連結部材１２が設けられている。連結部材１２は、図３、図４に示すように、平面視ほぼコ字状をなし、コ字状の開放された部位が持ち出し方向における内方側を向くように配置されている。すなわち、コ字状をなす部位のうち対向する対向壁部１２ａが持ち出し方向に沿って配置され、対向壁部１２ａの外方側の端を繋ぐ中央壁部１２ｂが各化粧部材１１に当接されるように構成されている。
【００２５】
対向壁部１２ａは、先端に、互いに対向する方向に突出させた先端突部１２ｃと、先端突部１２ｃに対し持ち出し方向における外方側に、先端突部１２ｃと間隔を隔てて、互いに対向する方向に突出させた中間突部１２ｄとを有している。先端突部１２ｃと中間突部１２ｄとの間に、連結部材１２と持ち出し支柱１４とを固定するビスの貫通孔１２ｅが設けられている。対向する先端突部１２ｃ同士及び中間突部１２ｄ同士の間隔は、持ち出し支柱１４の幅より僅かに広く形成されている。また、中央壁部１２ｂには、コ字状の開放側、すなわち、持ち出し方向における外方側に向かって突出する内方突部１２ｆが長手方向の中央から振り分けて２箇所に設けられている。中央壁部１２ｂの２つの内方突部１２ｆ間には、上端近傍に、開放されている側に向かって突出するように段付きビス１５が螺合されている。
【００２６】
持ち出し支柱１４は、持ち出し方向における外方側から意匠材１３が、内方側から持ち出し部材５が各々固定される部材である。持ち出し支柱１４は、意匠材１３が有する、平面視ほぼコ字状をなす連結部材１２が外方側から被せられるように取り付けられた状態で、連結部材１２とともになす外形形状がほぼ矩形状をなすように、長手方向における幅が、外方側の部位が内方側の部位より狭く形成されている。
【００２７】
持ち出し支柱１４は、下意匠材１３ｂが有する連結部材１２の下端１２ｇから、上意匠材１３ａが有する連結部材１２の上端１２ｈにわたるように形成された中空の角パイプ状をなす部材であり、上端の小口には端部キャップ１６が取り付けられている。持ち出し支柱１４の外周面１４ａには、持ち出し支柱１４に取り付けられて、第１係合部をなすビス１８が、長手方向における両側に突出するように螺合されている。ビス１８は、締め込まれることなく、ビス１８の頭部１８ａが持ち出し支柱１４から離れて位置しつつも、外周部材１０の重さを支持可能な強度を備えて螺合されている。
【００２８】
また、持ち出し支柱１４の意匠材１３と対向する部位の上端側には、連結部材１２に設けられ内方側に向かって突出された段付きビス１５を掛けることができるように、所謂ひょうたん孔１７が設けられている。ひょうたん孔１７は、段付きビス１５の頭部１５ａの直径より大きな孔と、段付きビス１５の頭部１５ａの直径より小さく、段付きのビス１５のネジ部１５ｂ及び段部１５ｃの直径より大きな直径の孔が繋げられ、大きな孔側が上方に位置するように形成されている。
【００２９】
そして、下意匠材１３ｂは、連結部材１２の対向壁部１２ａにて持ち出し支柱１４を挟むようにして、持ち出し支柱１４に連結部材１２が被るように配置され、連結部材１２の下端１２ｇと持ち出し支柱１４の下端とが揃う位置にて、下意匠材１３ｂの対向壁部１２ａと持ち出し支柱１４とがビス止めされて下意匠材ユニット２０（図６）が形成されている。
【００３０】
支柱３は、平面視矩形状の角パイプ状をなす部材であり、図１に示すように、その内側に、スラブ端の立ち上がりとなる躯体１ａに笠木２を介して固定され、上下方向に延びて挿通される固定部材１ｂにビス止めされている。支柱３は、図２に示すように、スラブ端の形状に沿って適宜間隔を隔てて複数本設けられており、各支柱３の上端側と下端側とにそれぞれ持ち出し部材５が固定されている。
【００３１】
持ち出し部材５は、図５に示すように、持ち出し方向における内方側にて支柱３に固定される内側固定部６と、持ち出し方向における外方側にて持ち出し支柱１４が固定される外側固定部７と、内側固定部６と外側固定部７とを持ち出し方向に間隔を隔てて連結する連結腕部８とを有している。内側固定部６と外側固定部７とは、各々平面視コ字状をなし、コ字状の開放された部位が、内側固定部６は持ち出し方向における内方側に、外側固定部７は持ち出し方向における外方側に、それぞれ向くように連結腕部８にて連結されている。尚、図５においては、意匠材１３を省略して示している。
【００３２】
内側固定部６は、支柱３の、持ち出し方向における外方側に向く面３ａに対向して当接される内当接部６ａと、内当接部６ａの長手方向における両端から持ち出し方向における内方側に延出されて持ち出し方向にて対向する内対向部６ｂとを有している。内対向部６ｂの間隔は、支柱３の長手方向の幅より僅かに広く形成されている。２つの内対向部６ｂには、それぞれ持ち出し部材５を、支柱３に固定するためのビス１９ａが貫通される丸孔（不図示）が２つずつ設けられている。
【００３３】
外側固定部７は、持ち出し支柱１４の、持ち出し方向における内方側に向く面に対向して当接される外当接部７ａと、外当接部７ａの長手方向における両端から持ち出し方向における内方側に延出されて持ち出し方向にて対向する外対向部７ｂとを有している。外対向部７ｂの間隔は、持ち出し支柱１４の長手方向の幅より僅かに広く形成されている。２つの外対向部７ｂには、それぞれ持ち出し支柱１４に突出させたビス１８が係合される、上方に開放された、第２係合部としての係合凹部７ｃと、係合凹部７ｃの下側に、持ち出し支柱１４を固定するためのビス１９ｂが貫通される丸孔７ｄとが１つずつ設けられている。
【００３４】
外周部材１０の取り付け方法は、図６〜図８に示すように、まず、少なくとも２本の連結部材１２に化粧部材１１をビスにて固定し上意匠材１３ａと下意匠材１３ｂとをそれぞれ形成しておく。また、支柱３には持ち出し部材５を上下に間隔を隔てて固定しておく。
【００３５】
次に、下意匠材１３ｂと２本の持ち出し支柱１４とをビス１９ｃにて固定する。このとき、下意匠材１３ｂの連結部材１２の下端１２ｇと持ち出し支柱１４の下端とを揃えて位置決めし、長手方向における両側から連結部材１２を貫通するビス１９ｃにて下意匠材１３ｂを持ち出し支柱１４に持ち出し方向における内方側から強固に固定する。
【００３６】
次に、下意匠材１３ｂと持ち出し支柱１４とが一体となった下意匠材ユニット２０の持ち出し支柱１４に設けられ長手方向に突出させたビス１８を、支柱３に設けられた持ち出し部材５の係合凹部７ｃに係合させて、下意匠材ユニット２０を持ち出し部材５に吊り下げて保持させる（保持工程）。そして、持ち出し方向の内方側から、係合凹部７ｃにて係合されているビス１８を締め込むとともに、持ち出し部材５の各係合凹部７ｃの下側に設けられている丸孔７ｄを貫通するビス１９ｂにて下意匠材ユニット２０と持ち出し部材５とを強固に固定する（固定工程）。このように、下意匠材ユニット２０を固定することにより、持ち出し支柱１４及び持ち出し部材５を介して下意匠材１３ｂが強固に支柱３に固定される。
【００３７】
最後に、上意匠材１３ａが有する連結部材１２に備えられた、持ち出し方向における内方側に突出する段付きビス１５を、持ち出し支柱１４に設けられたひょうたん孔１７に挿入して上意匠材１３ａを吊り下げ、長手方向における両側から連結部材１２を貫通するビス１９ｃを螺合して、上意匠材１３ａを持ち出し支柱１４に持ち出し方向における内方側から強固に固定する。
【００３８】
本実施形態の外周部材の取付構造及び外周部材の取付方法によれば、外周部材１０は、支柱３に取り付けられたときに当該外周部材１０における支柱３の取付面２ａより低い部分に位置する下意匠材１３ｂと支柱３の取付面２ａより高い部分に位置する上意匠材１３ａとにわたり中空の部材でなる持ち出し支柱１４が設けられているので、外周部材１０全体も高い剛性を備えることが可能である。
【００３９】
また、外周部材１０は、支柱３の取付面２ａより低い下意匠材１３ｂを有しているため、外周部材１０は持ち出し部材５により躯体１ａより持ち出して取り付けられる。このため、下意匠材１３ｂを上意匠材１３ａと同様に、持ち出し部材５に固定された持ち出し支柱１４に直接固定することができない。ところが、本外周部材の取付構造のように、下意匠材１３ｂを予め持ち出し支柱１４に固定しておくことにより、下意匠材１３ｂを強固に固定することが可能であり、意匠材１３全体の剛性が高められているので、支柱３の取付面２ａより下側に位置する下意匠材１３ｂを直接持ち出し部材５に固定しなくとも外周部材１０全体を支柱３に強固に取り付けることが可能である。
【００４０】
また、下意匠材ユニット２０を取り付ける際には、持ち出し支柱１４の外周面１４ａに外方に向かって突出させたビス１８を、持ち出し部材５の係合凹部７ｃに係合させることにより下意匠材ユニット２０が吊り下げられるので、下意匠材ユニット２０を吊り下げて下意匠材ユニット２０から手を離した状態で下意匠材ユニット２０を固定することが可能である。このため、より施工性に優れた外周部材１０の取り付け構造を提供することが可能である。
【００４１】
また、本実施形態においては、持ち出し支柱１４に支柱３の取付面２ａより低い部分となる下意匠材１３ｂを固定した下意匠材ユニット２０の状態で、持ち出し部材５に取り付けることとしたので、持ち出し支柱１４を持ち出し部材５に係合する際には上意匠材１３ａをなす部位が、取り付けられていない。このため、意匠材１３の全てが取り付けられている場合より、下意匠材ユニット２０は軽いので、下意匠材ユニット２０の取り回しが容易であり、より施工性に優れている。しかしながら、予め、持ち出し支柱１４の全長にわたって、意匠材１３が取り付けられていても構わない。
【００４２】
上記実施形態においては、互いに隣り合う意匠材１３が有する化粧部材１１の端部１１ａ同士が、長手方向において、互いに隣り合う支柱３の間にて対向するように配置されている。このため、上下に間隔を隔てた化粧部材１１の間から持ち出し支柱１４や支柱３が露出する部位と、隣り合う意匠材１３の間とがそれぞれ上下方向に沿う線のように認識されることにより意匠性が低下する。特に、化粧部材１１としてガラスのパネルを使用すると、その傾向は更に顕著になってしまう。そこで、より意匠性を高めるために、互いに隣り合う意匠材１３の端部同士を、長手方向において、互いに隣り合う支柱３及び持ち出し支柱１４と、持ち出し方向において重なる位置に配置した変形例について説明する。以下の説明において、上記実施形態と同一構成については図中で同符号を付して示し、その説明については省略する。
【００４３】
外周部材の取付構造及び外周部材取付方法の変形例は、化粧部材１１としてガラスパネル３０を使用している。
【００４４】
本変形例の外周部材１０は、図９、図１０に示すように、ガラスパネル３０でなる化粧部材と、ガラスパネル３０の長手方向における両端部に設けられる左持ち出し支柱３１及び右持ち出し支柱３２と、ガラスパネル３０と左右の持ち出し支柱３１、３２とを結合する結合部材３３とを有している。このとき、ガラスパネル３０の端部以外に設けられる持ち出し支柱１４は、上記実施形態と同様である。
【００４５】
ガラスパネル３０は、図９に示すように、矩形状をなし、長手方向における端部側に上下方向に沿って適宜間隔を隔ててビス３４が貫通する孔３０ａが設けられている。
【００４６】
左右の持ち出し支柱３１、３２は、図１０に示すように、各ガラスパネル３０に取り付けられた状態にて、互いに隣り合う外周部材１０の左持ち出し支柱３１と右持ち出し支柱３２とが、単一の支柱３に設けられた単一の持ち出し部材５に取り付けられるように構成されている。このため、左右の持ち出し支柱３１、３２を持ち出し部材５に吊り下げるための突起となるビス１８は、単一のガラスパネル３０に取り付けられる左右の持ち出し支柱３１、３２において、互いに対向する側に突出させて設けられている。
【００４７】
また、左右の持ち出し支柱３１、３２の一方、例えば右持ち出し支柱３２は、隣り合う外周部材１０に取り付けられて単一の持ち出し部材５に固定される他方、すなわち左持ち出し支柱３１側に向かって、持ち出し方向における内方側の部位が長手方向に延出された延出部３２ａを有している。この延出部３２ａは、隣り合う外周部材１０が、左右の持ち出し支柱３１、３２が持ち出し部材５の係合凹部７ｃに係合されて吊り下げられて保持されたときに、左持ち出し支柱３１の持ち出し方向における内方側の部位を覆うように形成されている。
【００４８】
本外周部材１０は、図１０に示すように、単一のガラスパネル３０に取り付けられる左右の持ち出し支柱３１、３２における互いに対向する側に、結合部材３３が上下方向に沿って複数固定されている。
【００４９】
結合部材３３は、左右の持ち出し支柱３１、３２の側面に当接されて固定される側面固定部３３ａと、側面固定部３３ａの持ち出し方向における外方側の端から、長手方向においてガラスパネル３０の中央側に延出されたガラス固定部３３ｂとを有する、平面視Ｌ字状をなす部材である。ガラス固定部３３ｂには、ガラスパネル３０の孔３０ａを貫通したビス３４が挿通される孔３３ｃが設けられている。
【００５０】
ガラスパネル３０は、ワッシャー３５を介して孔３０ａを貫通したビス３４が結合部材３３のガラス固定部３３ｂの孔３３ｃを挿通し袋ナット３６が螺合されて左右の持ち出し支柱３１、３２と一体化されている。
【００５１】
この変形例の外周部材１０の取り付け方法は、図１０に示すように、ガラスパネル３０と左右の持ち出し支柱３１、３２が取り付けられた外周部材１０の左右の持ち出し支柱３１、３２に設けられ長手方向に突出させたビス１８を、支柱３に設けられた持ち出し部材５の係合凹部７ｃに係合させて、外周部材１０を持ち出し部材５に吊り下げて保持する（保持工程）。このとき、互いに隣接する外周部材１０は、単一の持ち出し部材５に固定される左右の持ち出し支柱３１、３２のうち、延出部３２ａが設けられている方から先に係合凹部７ｃに係合させる。そして、持ち出し方向における内方側から、係合凹部７ｃにて係合されているビス１８を締め込むとともに、持ち出し部材５の各係合凹部７ｃの下側に設けられている丸孔７ｄを貫通するビス１９ｂにて外周部材１０と持ち出し部材５とを強固に固定する（固定工程）。
【００５２】
上記外周部材の取付構造の変形例によれば、長手方向に並べて配置され互いに隣り合う外周部材１０の端部１０ａ同士が対向する位置は、上下方向に沿う線のように認識されやすい。このため、上下方向に沿う線のように認識されやすい外周部材１０の端部１０ａを、持ち出し方向において支柱３と重なる位置にて配置することにより、端部１０ａ同士が対向する部分を目立たなくすることが可能である。このため、外周部材１０の意匠性をより高めることが可能である。
【００５３】
また、互いに隣り合う外周部材１０の端部１０ａにはそれぞれ設けられた左右の持ち出し支柱３１、３２が、単一の持ち出し部材５に係合されるので、互いに隣り合う外周部材１０の繋ぎ目が目立たないように取り付けることが可能である。
【００５４】
また、単一の持ち出し部材５に取り付けられる隣り合う２つの外周部材１０の左右の持ち出し支柱３１、３２は、右持ち出し支柱３２から延出された延出部３２ａにより左持ち出し支柱３１が覆われるので、あたかも１本の部材に見せることが可能である。このため、より意匠性が高められる。
【００５５】
本変形例においては、化粧部材をガラスパネル３０としたが、これに限らず、図１１に示すように、先の実施形態と同様の化粧部材１１でも構わない。
【００５６】
上記実施形態においては、連結部材１２側に段付きビス１５が螺合され、持ち出し支柱１４側にひょうたん孔１７を設けた例について説明したが、連結部材側にひょうたん孔を設け、持ち出し支柱側に段付きビスが螺合されていても構わない。
【００５７】
また、上記実施形態においては、持ち出し部材５側に係合凹部７ｃ（第２係合部）を設け、持ち出し支柱１４側にビス１８（第１係合部）を設けた例について説明したが、持ち出し部材側にビスを設け、持ち出し支柱側に係合凹部を設けた構成であっても構わないし、持ち出し部材５の持ち出し方向と直交する面（長手方向と平行な面）に係合凹部７ｃ（第２係合部）を設け、持ち出し支柱１４の持ち出し方向と直交する面（長手方向と平行な面）にビス１８（第１係合部）を設けてもよい。
【００５８】
また、実施形態においては、支柱３が笠木２を介して躯体１ａ上に設けられている例について説明したが、必ずしも笠木は設けられていなくてもよく、また、躯体やバルコニー、廊下のスラブなどに直接支柱が設けられた構成であっても構わない。
【００５９】
また、本実施形態では、２本の連結部材１２に化粧部材１１が取り付けられることによって構成される下意匠材１３ｂと上意匠材１３ａを用いたが、これに限るものではない。すなわち、３本以上の連結部材に化粧部材が取り付けられることによって構成される下意匠材と上意匠材であっても構わない。このとき、例えば３本の連結部材を有する下意匠材１３ｂ及び上意匠材１３ａの場合には、下意匠材と対向する長手方向における中央の持ち出し支柱を設けずに両端に位置する２本の持出し支柱を設けてもよく、また、中央と一方側の端部にのみ持出し支柱を設けて、それに固定する形態であってもよいが、より好ましくは、３本の持出し支柱に固定されることが望ましい。
【００６０】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６１】
１  バルコニー、１ａ  躯体、２  笠木、２ａ  支柱の取付面、３  支柱、
５  持ち出し部材、７ｃ  係合凹部、１０  外周部材、１０ａ  端部、
１１  化粧部材、１１ａ  端部、１２  連結部材、１３  意匠材、
１３ａ  上意匠材、１３ｂ  下意匠材、１４  持ち出し支柱、１４ａ  外周面、
１８  ビス、２０  下意匠材ユニット、３０  ガラスパネル、
３１  左持ち出し支柱、３２  右持ち出し支柱、３２ａ  延出部
【図１】
2014105433.tif 000003
【図２】
2014105433.tif 000004
【図３】
2014105433.tif 000005
【図４】
2014105433.tif 000006
【図５】
2014105433.tif 000007
【図６】
2014105433.tif 000008
【図７】
2014105433.tif 000009
【図８】
2014105433.tif 000010
【図９】
2014105433.tif 000011
【図１０】
2014105433.tif 000012
【図１１】
2014105433.tif 000013